(57)【要約】【課題】ダブルデッキエレベータの点検作業を安全に行う。【解決手段】挟まれ防止スイッチ９ａ〜９ｃのうち少なくとも１つを押下してオフ状態に設定すると、階間調整制御装置３の主電源部３ａがオフ状態になる。また、かご枠駆動センサ１１によりかご枠２の駆動量が一定以上であることが検出された場合には、階間調整制御装置３の制御部３ｂが自動的にオフ状態に設定される。また、非常停止スイッチ８ａ〜８ｄのうち少なくとも１つを押下してオフ状態に設定すると、階間調整制御装置３の主電源部３ａがオフ状態になるとともにマイコン用電源スイッチ１ｃがオフ状態になる。また、上かご室４または下かご室５の駆動量が一定以上であることが検出された場合には、階間調整制御スイッチ１０ａまたは１０ｂがオン状態に設定され、階間調整制御装置３の主電源部３ａおよび制御部３ｂがオフ状態になる。【選択図】    図２
2004277155.tif 000002
【特許請求の範囲】
【請求項１】
上下に２つのかご室を搭載したかご枠と、このかご枠の昇降動作を制御する主制御装置と、前記かご枠の昇降動作と連動して前記上下のかご室のうち少なくとも一方を前記かご枠に対して駆動させて前記上下のかご室間の相対距離を変更させる階間調整動作を制御する階間調整制御装置とを備えたダブルデッキエレベータにおいて、
前記階間調整制御装置の主電源を前記主制御装置とは独立させて停止させる第１のスイッチ手段を具備したことを特徴とするダブルデッキエレベータ。
【請求項２】
前記第１のスイッチ手段は、前記かご枠の任意の場所に設置されていることを特徴とする請求項１に記載のダブルデッキエレベータ。
【請求項３】
前記第１のスイッチ手段とは別に、前記主制御装置の制御機能を停止させるとともに、この主制御装置の制御機能とは独立して前記階間調整制御装置の主電源を停止させる第２のスイッチ手段を具備したことを特徴とする請求項１に記載のダブルデッキエレベータ。
【請求項４】
前記第２のスイッチ手段は、前記かご枠の任意の場所に設置されていることを特徴とする請求項３に記載のダブルデッキエレベータ。
【請求項５】
上下に２つのかご室を搭載したかご枠と、このかご枠の昇降動作を制御する主制御装置と、前記かご枠の昇降動作と連動して前記上下のかご室のうち少なくとも一方を前記かご枠に対して駆動させて前記上下のかご室間の相対距離を変更させる階間調整動作を制御する階間調整制御装置とを備えたダブルデッキエレベータにおいて、
前記主制御装置によるかご枠の昇降動作の異常を検出する検出手段と、
前記検出手段により異常が検出された場合に、前記階間調整制御装置の制御機能を前記主制御装置とは独立させて停止させる停止制御手段と
を具備したことを特徴とするダブルデッキエレベータ。
【請求項６】
上下に２つのかご室を搭載したかご枠と、このかご枠の昇降動作を制御する主制御装置と、前記かご枠の昇降動作と連動して前記上下のかご室のうち少なくとも一方を前記かご枠に対して駆動させて前記上下のかご室間の相対距離を変更させる階間調整動作を制御する階間調整制御装置とを備えたダブルデッキエレベータにおいて、
前記階間調整制御装置による階間調整動作の異常を検出する検出手段と、
前記検出手段により異常が検出された場合に、前記階間調整制御装置の主電源および制御機能のうち少なくとも一方を前記主制御装置とは独立させて停止させる停止制御手段と
を具備したことを特徴とするダブルデッキエレベータ。
【発明の詳細な説明】
【０００１】
【発明の属する技術分野】
本発明は、２つのかご室を上下に連結したダブルデッキエレベータに関し、特に上下のかご室間の距離を調整する階間調整制御装置を備えたダブルデッキエレベータに関する。
【０００２】
【従来の技術】
超高層ビルでは、ビルの輸送効率を向上させる為に、ビル内の縦の交通手段として、かご室を上下２段に構成して大量輸送を可能としたダブルデッキエレベータがたびたび用いられる。このダブルデッキエレベータには、乗客の不快感を与えないために、ビルの各階床間が一定でない場合でも上下のかご室がともに着床出来るように、クランク機構を用いて上下のかご室をそれぞれ反対方向に移動させて上下のかご室間の距離を調整する階間調整制御装置を備えた形態が存在する。また、階間調整制御装置には、上下のかご室のうち一方のかご室を固定し、他方のかご室のみを可変として上下のかご室間の距離を調整する形態も存在する（例えば、特許文献１参照）。
【０００３】
【特許文献１】
特開２００１−３０２１１５号公報
【０００４】
【発明が解決しようとする課題】
しかしながら前述した階間調整制御装置によるかご室間の相対距離を変更させる動作（以下、階間調整動作と称する）はかご枠の昇降動作と連動させることを前提として設計されている。つまり、作業員が上下のかご室の上に乗ってかご枠の昇降動作の点検をする場合には、かご枠の昇降動作と連動して上下のかご室が移動することでこれら上下のかご室の間に作業員が挟まれる可能性がある。これを防ぐために、ダブルデッキエレベータには安全回路が設けられている。安全回路は、任意でダブルデッキエレベータの動作を停止させるための回路である。安全回路には、安全スイッチが設けられている。安全スイッチは、例えばかご枠内に設けられる。この安全スイッチを作業員が押下すると、主制御装置による制御機能すなわちかご枠の昇降動作が停止し、これに連動して階間調整動作も停止する。しかし、主制御装置による制御を停止させても、例えば過電流による機器の異常などの原因により階間調整制御装置が単独で動作し、階間調整動作が実行されてしまうので、作業員が安全に点検作業を行うことができない問題があった。
【０００５】
本発明は、前記問題に鑑みなされたものであり、作業員が安全に点検作業を行うことができるダブルデッキエレベータを提供することを目的とする。
【０００６】
【課題を解決するための手段】
すなわち、本発明の請求項１に係わるダブルデッキエレベータは、上下に２つのかご室を搭載したかご枠と、このかご枠の昇降動作を制御する主制御装置と、前記かご枠の昇降動作と連動して前記上下のかご室のうち少なくとも一方を前記かご枠に対して駆動させて前記上下のかご室間の相対距離を変更させる階間調整動作を制御する階間調整制御装置とを備えたダブルデッキエレベータにおいて、前記階間調整制御装置の主電源を前記主制御装置とは独立させて停止させる第１のスイッチ手段を具備したことを特徴とする。
【０００７】
このような構成によれば、第１のスイッチ手段により階間調整制御装置の主電源を主制御装置とは独立させて停止させることになり、作業員が安全にダブルデッキエレベータの点検作業を行うことができる。
【０００８】
また、本発明の請求項２に記載のダブルデッキエレベータは、請求項１に記載のダブルデッキエレベータであって、前記第１のスイッチ手段は、前記かご枠の任意の場所に設置されていることを特徴とする。
【０００９】
このような構成によれば、必要時に作業員が必要時に迅速に第１のスイッチ手段を操作できることになるので、階間調整制御装置の主電源を遅滞なく停止させることができ、作業員が安全にダブルデッキエレベータの点検作業を行うことができる。
【００１０】
また、本発明の請求項３に記載のダブルデッキエレベータは、請求項１に記載のダブルデッキエレベータであって、前記第１のスイッチ手段とは別に、前記主制御装置の制御機能を停止させるとともに、この主制御装置の制御機能とは独立して前記階間調整制御装置の主電源を停止させる第２のスイッチ手段を具備したことを特徴とする。
【００１１】
このような構成によれば、第２のスイッチ手段により主制御装置による制御機能を停止させるとともに、階間調整制御装置の主電源を主制御装置とは独立させて停止させることになり、作業員が安全にダブルデッキエレベータの点検作業を行うことができる。
【００１２】
また、本発明の請求項４に記載のダブルデッキエレベータは、請求項３に記載のダブルデッキエレベータであって、前記第２のスイッチ手段は、前記かご枠の任意の場所に設置されていることを特徴とする。
【００１３】
このような構成によれば、必要時に作業員が必要時に迅速に第２のスイッチ手段を操作できることになるので、主制御装置による制御機能および階間調整制御装置の主電源を遅滞なく停止させることができ、作業員が安全にダブルデッキエレベータの点検作業を行うことができる。
【００１４】
また、本発明の請求項５に記載のダブルデッキエレベータは、上下に２つのかご室を搭載したかご枠と、このかご枠の昇降動作を制御する主制御装置と、前記かご枠の昇降動作と連動して前記上下のかご室のうち少なくとも一方を前記かご枠に対して駆動させて前記上下のかご室間の相対距離を変更させる階間調整動作を制御する階間調整制御装置とを備えたダブルデッキエレベータにおいて、前記主制御装置によるかご枠の昇降動作の異常を検出する検出手段と、前記検出手段により異常が検出された場合に、前記階間調整制御装置の制御機能を前記主制御装置とは独立させて停止させる停止制御手段とを具備したことを特徴とする。
【００１５】
このような構成によれば、検出手段によりかご枠の昇降動作の異常が検出された場合に、停止制御手段により階間調整制御装置の制御機能を主制御装置とは独立させて停止させることになり、作業員が安全にダブルデッキエレベータの点検作業を行うことができる。
【００１６】
また、本発明の請求項６に記載のダブルデッキエレベータは、上下に２つのかご室を搭載したかご枠と、このかご枠の昇降動作を制御する主制御装置と、前記かご枠の昇降動作と連動して前記上下のかご室のうち少なくとも一方を前記かご枠に対して駆動させて前記上下のかご室間の相対距離を変更させる階間調整動作を制御する階間調整制御装置とを備えたダブルデッキエレベータにおいて、前記階間調整制御装置による階間調整動作の異常を検出する検出手段と、前記検出手段により異常が検出された場合に、前記階間調整制御装置の主電源および制御機能のうち少なくとも一方を前記主制御装置とは独立させて停止させる停止制御手段とを具備したことを特徴とする。
【００１７】
このような構成によれば、検出手段により階間調整制御装置の動作の異常が検出された場合に、停止制御手段により階間調整制御装置の主電源および階間調整制御装置の制御機能のうち少なくとも一方を前記主制御装置とは独立させて停止させることになり、作業員が安全にダブルデッキエレベータの点検作業を行うことができる。
【００１８】
【発明の実施の形態】
以下、本発明の実施形態について図面を参照して説明する。
【００１９】
本実施形態に係わるダブルデッキエレベータは、かご枠の昇降動作を停止させる機能およびかご枠内に設けられる上下のかご室間の相対距離を変更する動作（以下、階間調整動作と称する）をかご枠の昇降動作とは独立させて停止させる機能を有している。これらの機能は、かご枠の任意の場所に専用のスイッチを設け、このスイッチを作業員が押下することで実現される。また、このダブルデッキエレベータは、階間調整動作をかご枠の昇降動作と独立させて自動的に停止させる機能をも有している。この機能は、かご枠および上下のかご室に専用のセンサを接続した上で、このセンサによりかご枠の昇降動作または階間調整動作の異常を検出させ、これに伴い各種動作を停止させることで実現される。
【００２０】
図１は、本実施形態に係わるダブルデッキエレベータの概略構成を示す図である。
図１に示すように、本実施形態に係わるダブルデッキエレベータは、主制御装置１、かご枠２およびかご室間調整制御装置（以下、階間調整制御装置と称する）３を設ける。かご枠２は、その内部に上かご室４および下かご室５（以下、上下のかご室と称する）を搭載する。かご枠２における上下のかご室の搭載の形態については特に限定されるものではない。
【００２１】
また、主制御装置１と階間調整制御装置３を、２種類の信号線６，７を介在して電気的に接続する。信号線６は階間調整動作に係る回路の信号線である。信号線７は、ダブルデッキエレベータの安全回路の信号線である。信号線６に係る階間調整動作に係る回路と信号線７に係る安全回路とは別途の回路である。信号線７は、かご枠２に設ける各種スイッチ（後述）を介在して主制御装置１と階間調整制御装置３とを電気的に接続する。この信号線７による主制御装置１と階間調整制御装置３との接続形態については後述する。
【００２２】
ここで、本実施形態のダブルデッキエレベータのかご枠２の昇降動作と階間調整動作について説明する。なお、かご枠２の昇降動作と階間調整動作の実行に係る回路構成については、従来用いられる、階間調整機能を有するダブルデッキエレベータが具備する回路構成と同様であり、本発明と直接関連するものではないので、ここでは詳述しない。
【００２３】
まず、かご枠２の昇降動作について簡単に説明する。
【００２４】
かご枠２は、巻上機（図示せず）を介してワイヤ（図示せず）の一端に取り付け、昇降可能に吊下する。また、ワイヤの他端には、カウンタウェイト（図示せず）を取り付ける。主制御装置１は、乗り場呼び釦（図示せず）または行先階釦（図示せず）の押下に伴い巻上機によりかご枠２を昇降させる。かご枠２の昇降動作に係る各種装置の形態は特に限定されるものではない。
【００２５】
次に階間調整動作について簡単に説明する。
【００２６】
図１に示す主制御装置１をかご枠位置センサ（図示せず）と電気的に接続する。かご枠位置センサは、巻上機により昇降するかご枠２の位置を検出して、かご枠２の位置を示すかご枠位置信号を主制御装置１に出力する。主制御装置１は、かご枠位置信号にしたがって、信号線６を介して階間調整制御装置３に対して駆動制御信号を出力する。駆動制御信号には、行先階釦により指定された階床情報が含まれる。階間調整制御装置３と上下のかご室との間にはかご室駆動装置（図示せず）を設ける。かご室駆動装置は、駆動制御信号にしたがって、上下のかご室の間隔を調整する。この階間調整動作に係る各種装置の形態は特に限定されるものではない。
【００２７】
図１に示すように、かご枠２には、非常停止スイッチ８ａ〜８ｄおよび挟まれ防止スイッチ９ａ〜９ｃを設ける。非常停止スイッチ８ａ〜８ｄおよび挟まれ防止スイッチ９ａ〜９ｃは、作業員がエレベータの点検作業中に押下するものである。非常停止スイッチ８ａは、かご枠２の上面に設ける。非常停止スイッチ８ｂおよび挟まれ防止スイッチ９ａは、上かご室４の上面に設ける。非常停止スイッチ８ｃおよび挟まれ防止スイッチ９ｂは、下かご室５の上面に設ける。非常停止スイッチ８ｄおよび挟まれ防止スイッチ９ｃは、かご枠２の底面に設ける。なお、非常停止スイッチ８ａ〜８ｄおよび挟まれ防止スイッチ９ａ〜９ｃを設置する場所は特に限定されるものではなく、かご枠２において、作業員が必要時に迅速に押下できる任意の場所に設置すればよい。
【００２８】
挟まれ防止スイッチ９ａ〜９ｃは、ダブルデッキエレベータの安全回路内に設ける。作業員は、点検作業中に上下のかご室間に挟まれる等の危険があると判断した場合に挟まれ防止スイッチ９ａ〜９ｃのうち少なくとも１つを押下する。すると、階間調整動作がかご枠２の昇降動作とは独立させて停止される。これにより、上下のかご室間に作業員が挟まれる等の危険を回避することができる。
【００２９】
また、挟まれ防止スイッチ９ａ〜９ｃは、点検作業中に限らず、点検作業を開始する前に予め押下することで階間調整動作をかご枠２の昇降動作と連動して実行させないようにすることができる。つまり、点検作業において、階間調整動作を実行させることで作業員が常に危険に曝されることが点検作業の開始前から明らかであるなどの場合には、挟まれ防止スイッチ９ａ〜９ｃのうち１つを押下して、階間調整動作を実行させないようにする。
【００３０】
非常停止スイッチ８ａ〜８ｄは、ダブルデッキエレベータの安全回路内に設ける。作業員は、点検作業中にかご枠２の昇降動作または階間調整動作に異常の疑いがあると判断した場合に非常停止スイッチ８ａ〜８ｄのうち少なくとも１つを押下する。すると、かご枠２の昇降動作が停止するとともに、階間調整動作がかご枠２の昇降動作とは独立して停止する。これにより作業員自身の安全を確保する。かご枠２の昇降動作または階間調整動作に異常の疑いがある場合とは、例えば、作業員がエレベータの点検作業中にかご枠２または上下のかご室の不自然な動きや異常な動作音などが認められた場合である。
【００３１】
また、かご枠２内には、階間調整制御スイッチ１０ａ，１０ｂを設ける。階間調整制御スイッチ１０ａ，１０ｂは、ダブルデッキエレベータの安全回路内に設ける。階間調整制御スイッチ１０ａ，１０ｂは、非常停止スイッチ８ａ〜８ｄおよび挟まれ防止スイッチ９ａ〜９ｃのように作業員が押下するのとは異なり、階間調整動作の制御にしたがって自動的に動作するスイッチである。階間調整制御スイッチ１０ａ，１０ｂは、例えばリミッタースイッチである。
【００３２】
階間調整動作が実行されている状態において、別途かご枠２内に設けるセンサ（後述）により上かご室４の動作が異常であると判別されると階間調整制御スイッチ１０ａが動作する。また、センサにより下かご室５の動作が異常であると判別されると階間調整制御スイッチ１０ｂが動作する。階間調整制御スイッチ１０ａまたは１０ｂが動作すると階間調整動作が停止する。これにより作業員は上下のかご室間に挟まれる等の危険を回避することができる。
【００３３】
図２は、図１に示したダブルデッキエレベータに備えられる安全回路の構成を示す図である。
【００３４】
図２に示す安全回路は、図１に示した信号線７を介して、主制御装置（巻上機制御装置）１に設けるマイコン（以下、制御部と称する）１ａと階間調整制御装置３の主電源部３ａとを接続する回路および、かご枠駆動量センサ１１と階間調整制御装置３の制御部３ｂとを接続する回路である。
【００３５】
主制御装置１の制御部１ａは、必要に応じてオフ状態またはオン状態に設定される。かご枠２の昇降動作は、主制御装置１の制御部１ａがオン状態にある場合に実行され、この制御部１ａがオフ状態にある場合に停止される。制御部１ａがオン状態にある場合には、該制御部１ａは、内部に記憶される制御用ソフトウェアを読み出してかご枠２の昇降動作を実行する。以下、制御部１ａにより制御用ソフトウェアを読み出してかご枠２の昇降動作を実行する機能を主制御装置１の制御機能と称する。
【００３６】
階間調整制御装置３の主電源部３ａおよび制御部３ｂは、必要に応じてオフ状態またはオン状態に設定される。階間調整動作は、階間調整制御装置３の主電源部３ａがオン状態にあり、且つ制御部３ｂがオン状態にある場合に動作する。制御部３ｂがオン状態にある場合には、該制御部３ｂは、内部に記憶される制御用ソフトウェアを読み出して階間調整動作を実行する。ただし制御部３ｂは、主電源部３ａがオフ状態に設定されている場合には動作しない。以下、制御部３ｂにより制御用ソフトウェアを読み出して階間調整動作を実行する機能を階間調整制御装置３の制御機能と称する。
【００３７】
安全回路には、図１に示した非常停止スイッチ８ａ〜８ｄおよび挟まれ防止スイッチ９ａ〜９ｃを設ける。主制御装置１の制御部１ａには、非常停止スイッチ８ａ〜８ｄをそれぞれ直列に接続する。非常停止スイッチ８ｄには、挟まれ防止スイッチ９ａ〜９ｃをそれぞれ直列に接続する。挟まれ防止スイッチ９ｃは階間調整制御装置３の主電源部３ａと接続する。
【００３８】
主制御装置１の制御部１ａは該制御部１ａ用の電源を供給するマイコン入力用電源１ｂと接続する。ただし、制御部１ａとマイコン入力用電源１ｂとの間には、マイコン用電源スイッチ１ｃを設ける。
【００３９】
かご枠２の昇降動作および階間調整動作が実行されている状態において、非常停止スイッチ８ａ〜８ｄのうち少なくとも１つを押下すると、これに連動してマイコン用電源スイッチ１ｃが自動的にオフ状態に設定される。マイコン用電源スイッチ１ｃがオフ状態に設定されると、マイコン入力用電源１ｂによる制御部１ａに対する電源供給が停止される。これにより制御部１ａの動作が停止され、主制御装置１の制御機能が停止される。非常停止スイッチ８ａ〜８ｄとマイコン用電源スイッチ１ｃとの連動は、例えばリレースイッチを用いることにより実現される。
【００４０】
かご枠駆動量センサ１１は、かご枠２の昇降動作時における該かご枠２の単位時間あたりの駆動量を検出する。このかご枠駆動量センサ１１は、記憶部（図示せず）を設ける。記憶部にはかご枠２の駆動量の基準値が記憶される。この基準値とは、かご枠２の昇降動作が正常になされている場合に示すと予想されるかご枠２の単位時間あたりの駆動量の最大値である。つまりかご枠２の駆動量の検出値が基準値を超えている場合とは、かご枠２の昇降動作が所定外の実行状態にある場合を意味している。かご枠駆動量センサ１１は比較部（図示せず）を設ける。比較部は、検出値と基準値とを比較して、検出値が基準値を超えているか否かを判別する。
【００４１】
上かご室４には、かご室駆動量センサ１２ａおよび階間調整制御スイッチ１０ａを接続する。下かご室５には、かご室駆動量センサ１２ｂおよび階間調整制御スイッチ１０ｂを接続する。階間調整制御スイッチ１０ａ，１０ｂは、それぞれ階間調整制御装置３の主電源部３ａおよび制御部３ｂと電気的に接続する。
【００４２】
かご室駆動量センサ１２ａは、上かご室４の単位時間あたりの駆動量を検出する。かご室駆動量センサ１２ｂは、下かご室５の単位時間あたりの駆動量を検出する。かご室駆動量センサ１２ａ，１２ｂはそれぞれ記憶部（図示せず）を設けている。かご室駆動量センサ１２ａの記憶部には上かご室４の駆動量の基準値が記憶される。かご室駆動量センサ１２ｂの記憶部には下かご室５の駆動量の基準値が記憶される。駆動量の基準値は、階間調整動作が正常になされている場合に示すと予想される上下のかご室の単位時間あたりの駆動量の最大値である。上かご室４または下かご室５の駆動量の検出値が基準値を超えている場合は、階間調整動作が所定外の制御状態にある場合である。かご室駆動量センサ１２ａ，１２ｂは、それぞれ比較部（図示せず）を設ける。比較部は、検出値と基準値を比較して階間調整動作が異常にあるか否かを判別する。
【００４３】
次に、前記構成によるダブルデッキエレベータの安全回路の動作について説明する。
【００４４】
図３は、図２に示した安全回路の動作を示すフローチャートである。
【００４５】
本実施形態において、かご枠２の昇降動作および階間制御動作が実行されている場合には、非常停止スイッチ８ａ〜８ｄ、挟まれ防止スイッチ９ａ〜９ｃはオン状態に設定されている。また、階間調整制御スイッチ１０ａ，１０ｂは階間制御動作が実行されている場合、つまりかご室駆動量センサ１２ａ，１２ｂにより上下のかご室の異常が検出されない場合にはオフ状態に設定されている。
【００４６】
かご枠２内の挟まれ防止スイッチ９ａ〜９ｃのうち１つを押下してオフ状態に設定すると、階間調整制御装置３の主電源部３ａが主制御装置１の制御部１ａの状態に関係なくオフ状態になる（ステップＳ１→Ｓ９）。これにより、主電源部３ａは主制御装置１の制御機能とは独立させて停止されることになる。主電源部３ａがオフ状態にあるときは、階間調整動作はかご枠２の昇降動作と連動しない。よって、階間調整動作を確実に停止させることができるので、作業員が上下のかご室間に挟まれる危険を回避することができる。
【００４７】
なお、図２に示した、挟まれ防止スイッチ９ａ〜９ｃの別の形態として、かご枠２の昇降動作および階間制御動作が実行されている場合において挟まれ防止スイッチ９ａ〜９ｃはオフ状態であるとし、これらの挟まれ防止スイッチ９ａ〜９ｃのうち１つを押下してオン状態に切り替えることにより階間調整制御装置３の主電源部３ａをオフ状態とする回路構成としても差し支えない。
【００４８】
既に説明したように、挟まれ防止スイッチ９ａ〜９ｃは、階間調整動作を主制御装置１の制御機能と独立させて停止させるスイッチである。つまり、挟まれ防止スイッチ９ａ〜９ｃのうち１つを押下してオフ状態に設定しても、かご枠２の昇降動作は停止しない。したがって、例えばかご枠２の昇降動作が正常に実行されているか否かの点検作業を行っている場合でも該点検作業を継続することができる。
【００４９】
また、階間調整動作の停止後、この階間調整動作を再び実行させる場合には、挟まれ防止スイッチ９ａ〜９ｃのうち、ステップＳ１においてオフ状態に設定したスイッチを再び押下してオン状態に設定し、主電源部３ａをオン状態にすればよい。
【００５０】
また、かご枠駆動量センサ１１は、かご枠２の単位時間あたりの駆動量を検出して、この検出値と基準値とを比較する。これにより、かご枠２の駆動量が異常であるか否かを判別する（ステップＳ２）。
【００５１】
既に説明したように、かご枠２の昇降動作と階間調整動作は連動する。つまりかご枠２の昇降動作が正常になされていない場合には、かご枠２の昇降動作に連動する階間調整動作も正常になされなくなるので、上下のかご室が作業員の予測しない動作をする可能性が高い。よって、駆動量の検出値が基準値を超えていると判別された場合には、駆動制御信号を階間調整制御装置３の制御部３ｂに出力し、該制御部３ｂを主制御装置１の制御機能とは独立させてオフ状態にさせる。これにより、階間調整制御装置３の制御機能が停止する（ステップＳ２→Ｓ８）。つまり、作業員が自ら挟まれ防止スイッチ９ａ〜９ｃを押下せずとも、かご枠２の昇降動作の異常を検出させて、階間調整動作を自動的に停止させることができる。
【００５２】
また、かご枠駆動量センサ１１により、かご枠２の昇降動作の異常が検出されない場合において、かご枠２の非常停止スイッチ８ａ〜８ｄのうち少なくとも１つを押下してオフ状態に設定すると、主制御装置１のマイコン用電源スイッチ１ｃが自動的にオフ状態に切り替わる。すると、マイコン入力用電源１ｂによる制御部１ａに対する電源供給が停止する（ステップＳ３→Ｓ５）。これにより、制御部１ａによる主制御装置１の制御機能を停止させる。また、主制御装置１の制御機能が停止する。そして、ステップＳ１において挟まれ防止スイッチ９ａ〜９ｃを押下した場合と同様に、階間調整制御装置３の主電源部３ａを主制御装置１の制御機能とは独立させて停止させる（ステップＳ９）。
【００５３】
つまり、作業員が、点検作業中にかご枠２の昇降動作もしくは階間調整動作が異常であると判断した場合には、非常停止スイッチ８ａ〜８ｄのうち少なくとも１つを押下することで、かご枠２の昇降動作および階間調整動作をいつでも停止させることができる。これにより、例えばかご枠駆動量センサ１１によりかご枠２の昇降動作が異常であると判別されない場合でも、作業員の判断によりダブルデッキエレベータのあらゆる動作を停止させて、作業員自身の安全性を確保することができる。
【００５４】
また、かご枠２の昇降動作および階間調整動作の停止後、これらの動作を再び実行させる場合には、非常停止スイッチ８ａ〜８ｄのうち、ステップＳ３においてオフ状態に設定した非常停止スイッチを再び押下してオン状態に設定し、主制御装置１の制御部１ａおよび階間調整制御装置３の主電源部３ａをオン状態にすればよい。
【００５５】
なお、図２に示した非常停止スイッチ８ａ〜８ｄの別の形態として、かご枠２の昇降動作および階間制御動作が実行されている場合において非常停止スイッチ８ａ〜８ｄはオフ状態であるとし、これらの非常停止スイッチ８ａ〜８ｄのうち１つを押下してオン状態に切り替えることにより主制御装置１ａの制御機能を停させ、且つ階間調整制御装置３の主電源部３ａを主制御装置１ａの制御機能とは独立させてオフ状態にさせる回路構成としても差し支えない。
【００５６】
階間調整動作により上下のかご室が駆動すると、かご室駆動量センサ１２ａ，１２ｂは、上下のかご室の単位時間あたりの駆動量をそれぞれ逐次検出し、駆動量の検出値と基準値とを比較する。これにより上かご室４または下かご室５の駆動量が異常であるか否かを判別する（ステップＳ４）。
【００５７】
そしてかご室駆動量センサ１２ａにより検出値が基準値を上回ったと判別された場合には、該かご室駆動量センサ１２ａは、駆動制御信号を階間調整制御スイッチ１０ａに出力し、該階間調整制御スイッチ１０ａを自動的にオン状態に設定させる。また、かご室駆動量センサ１２ｂにより検出値が基準値を上回ったと判別された場合には、該かご室駆動量センサ１２ｂは、駆動制御信号を階間調整制御スイッチ１０ｂに出力し、該階間調整制御スイッチ１０ｂを自動的にオン状態に設定させる（ステップＳ４→Ｓ６）。
【００５８】
階間調整制御スイッチ１０ａ，１０ｂのうち少なくとも一方がオン状態に設定されると、該オン状態に設定された階間調整制御スイッチは、駆動制御信号を階間調整制御装置３の制御部３ｂおよび主電源部３ａに出力し、これらの機能を主制御装置１の制御機能とは独立してオフ状態にさせる（ステップＳ７，Ｓ８）。制御部３ｂおよび主電源部３ａがオフ状態にある場合には、かご枠２の昇降動作に対して階間調整動作は連動しない。
【００５９】
つまり、階間調整動作による上下のかご室の駆動に異常の疑いがある場合に、これをかご室駆動量センサ１２ａ，１２ｂにより検出させて、階間調整制御装置３の主電源部３ａおよび制御機能を主制御装置１の制御機能とは独立させて自動的に停止させることができる。したがって、上下のかご室の予期せぬ動作により作業員を危険に曝すことを回避することができる。
【００６０】
このように、本実施形態によれば、作業員により非常停止スイッチ８ａ〜８ｄまたは挟まれ防止スイッチ９ａ〜９ｃのうち１つを押下する、またはかご枠駆動量センサ１１もしくはかご室駆動量センサ１２ａ，１２ｂによる自動検出により、階間調整制御装置３による階間調整動作を主制御装置１の制御動作を独立させて停止させることができる。よって作業員が上下のかご室間に挟まれる等の危険を回避して、安全に点検作業を行うことができるようになる。
【００６１】
なお、本発明は前記実施形態に限定されるものではなく、実施段階ではその要旨を逸脱しない範囲で種々に変形することが可能である。更に、前記実施形態には、種々の段階の発明が含まれており、開示される複数の構成要件における適宣な組み合わせにより種々の発明が抽出され得る。例えば、前記実施形態で示される全構成要件から幾つかの構成要件が削除されても、「発明が解決しようとする課題」で述べた課題が解決でき、「発明の効果」の欄で述べられている効果が得られる場合には、この構成要件が削除された構成が発明として抽出されうる。
【００６２】
【発明の効果】
以上のように、本発明によれば、作業員によるスイッチの押下操作またはセンサによる自動検出により、ダブルデッキエレベータの階間調整動作をかご枠の昇降動作と独立させて停止させるようにしたので、作業員はダブルデッキエレベータの点検作業中に上下のかご室間に挟まれる等の危険を回避することができ、作業員自身の安全を確保することができる。
【図面の簡単な説明】
【図１】本発明の実施形態に係わるダブルデッキエレベータの概略構成を示す図。
【図２】図１に示したダブルデッキエレベータに備えられる安全回路の構成を示す図。
【図３】図２に示した安全回路の動作を示すフローチャート。
【符号の説明】
１・・主制御装置、１ａ・・マイコン（制御部）、１ｂ・・マイコン入力用電源、１ｃ・・マイコン用電源スイッチ、２・・かご枠、３・・階間調整制御装置、３ａ・・主電源部、３ｂ・・制御部、４・・上かご室、５・・下かご室、６，７・・信号線、８ａ〜８ｄ・・非常停止スイッチ、９ａ〜９ｃ・・挟まれ防止スイッチ、１０ａ，１０ｂ・・階間調整制御スイッチ、１１・・かご枠駆動量センサ、１２ａ，１２ｂ・・かご室駆動量センサ。
【図１】
2004277155.tif 000003
【図２】
2004277155.tif 000004
【図３】
2004277155.tif 000005